(57)【特許請求の範囲】
【請求項１】
装置本体の外装部に設けられ、交換レンズを取り付けるためのレンズマウントと、
光学部品を有し、前記外装部に固定され、光軸が通る開口部を前記光学部品の被写体側に有する光学ユニットと、
前記レンズマウントの内側に設けられ、前記レンズマウントに装着された交換レンズと電気的に接続して前記装置本体と前記交換レンズとが通信を行うための電気接点と、
被写体側から見て投影上、前記レンズマウントの内側における前記電気接点に重ならない位置に設けられた締結部と、
透明部材を保持し、前記締結部に対して締結されることで前記透明部材が前記開口部を塞ぐように前記外装部に取り付けられる保持部材と、
を有することを特徴とする撮像装置。
【請求項２】
前記保持部材は、前記外装部に対して着脱する際に被写体側から把持するためのつまみ部を有することを特徴とする請求項１記載の撮像装置。
【請求項３】
前記外装部の少なくとも一部は金属でなり、前記保持部材は前記透明部材と接触する導電部を有し、前記保持部材が前記外装部に取り付けられた状態では前記導電部が前記外装部の金属部分に接触することを特徴とする請求項１又は２に記載の撮像装置。
【発明の詳細な説明】
【技術分野】
【０００１】
本発明は、撮像装置、特にレンズ交換式撮像装置において光学部品に付着した埃を除去する技術に関する。
【背景技術】
【０００２】
従来、撮像装置においては、光路に埃等が入り込み、画像に映り込んでしまうことを避けるため、撮像光学系は外部から埃等が入り込まないように密閉構造となっていることが多い。
【０００３】
しかし、どれほど厳密に密閉したとしても、外部から埃が混入する可能性を完全に無くすことは困難である。特に、近年多く市場に出回るようになってきたレンズ交換式の撮像装置では、その構造上、レンズ備え付けの撮像装置よりも外部から埃が進入しやすい。
【０００４】
従って、撮像光学系自体は密閉構造をとりつつも、埃等が内部に混入した際にはその埃を除去できる方法が必要とされる。このような方法として、特許文献１には、レンズ交換式の撮像装置に関して塵埃除去装置が提案されている。すなわち、レンズを取り外した状態でマウント側から空気案内管を突っ込ませ、最外面にある光学部材（ローパスフィルタ）に付着したゴミを吹き飛ばすことができるようにしている。
【先行技術文献】
【特許文献】
【０００５】
【特許文献１】特開２００７−４７４８７号公報
【発明の概要】
【発明が解決しようとする課題】
【０００６】
しかしながら、特許文献１の方法では、外部から直接空気を送ることのできる箇所に付着した埃しか吹き飛ばすことができない。従って、ある程度密閉された外装の内部空間に外部から埃が進入してしまった場合に上記の方法にて埃を除去することはできない。内部空間に進入した埃を確実に取り除くためには、撮像装置本体を分解し、埃が付着した光学部品を取り出して埃を除去する必要があるが、そのような作業は非常に効率が悪い。
【０００７】
本発明は上記従来技術の問題を解決するためになされたものであり、その目的は、外装の内部空間に配置された光学部品に付着した埃等の除去作業を容易にすることにある。
【課題を解決するための手段】
【０００８】
上記目的を達成するために本発明は、装置本体の外装部に設けられ、交換レンズを取り付けるためのレンズマウントと、光学部品を有し、前記外装部に固定され、光軸が通る開口部を前記光学部品の被写体側に有する光学ユニットと、前記レンズマウントの内側に設けられ、前記レンズマウントに装着された交換レンズと電気的に接続して前記装置本体と前記交換レンズとが通信を行うための電気接点と、被写体側から見て投影上、前記レンズマウントの内側における前記電気接点に重ならない位置に設けられた締結部と、透明部材を保持し、前記締結部に対して締結されることで前記透明部材が前記開口部を塞ぐように前記外装部に取り付けられる保持部材と、を有することを特徴とする。
【発明の効果】
【０００９】
本発明によれば、外装の内部空間に配置された光学部品に付着した埃等の除去作業を容易にすることができる。
【図面の簡単な説明】
【００１０】
【図１】本発明の一実施の形態に係るレンズ交換式撮像装置の分解斜視図である。
【図２】ＮＤフィルタユニットをそれぞれ被写体側、撮像素子ユニット側から見た斜視図である。
【図３】カバーガラスユニットをそれぞれ被写体側、撮像素子ユニット側から見た分解斜視図である。
【図４】撮像素子ユニット側から見たカバーガラスユニットの斜視図である。
【図５】組み付け完了後で交換レンズが非装着状態の装置本体の外観斜視図、組み付け完了状態からカバーガラスユニットを取り外した状態を示す装置本体の外観斜視図である。
【発明を実施するための形態】
【００１１】
以下、本発明の実施の形態を図面を参照して説明する。
【００１２】
図１は、本発明の一実施の形態に係るレンズ交換式撮像装置の分解斜視図である。
【００１３】
この撮像装置の装置本体１００は、主な構成要素として、カバーガラスユニット３０、外装部である外装カバーユニット６０、光学ユニットであるＮＤフィルタユニット７０、及び撮像素子ユニット９０を有する。これらは図示しない交換レンズの光軸Ｚの方向に沿って配置され、これらのうち最も被写体側から遠い側に撮像素子ユニット９０が配置される。
【００１４】
図２（ａ）、（ｂ）は、ＮＤフィルタユニット７０をそれぞれ被写体側、撮像素子ユニット９０側から見た斜視図である。
【００１５】
ＮＤフィルタユニット７０は、光学部品であるＮＤフィルタ１、モールドカバー２、金属カバー３、フレキシブル基板５、ローパスフィルタ６、押さえ板金７を有する。ＮＤフィルタ１は、レンズからの入射光の量を減少させる光学フィルタである。ＮＤフィルタ１を使用することで、撮影の際の絞りを開いたり、シャッタースピードを下げたりすることが可能となるため、長時間露出による特殊効果を利用した撮影等を行う際に用いられる。
【００１６】
モールドカバー２には、金属カバー３と締結されるためのビス留め部１０ａ〜１０ｃ、外装カバーユニット６０に取り付けられるための取り付け部１２ａ〜１２ｄが設けられている。また、モールドカバー２には、光軸Ｚが通る開口部１１が形成されている（図２（ａ））。
【００１７】
ＮＤフィルタ１は、ＮＤフィルタユニット７０に内蔵され、モールドカバー２と金属カバー３とで覆われた内部空間に配設される。ＮＤフィルタ１は、撮影使用時にはレンズからの入射光を透過させるために光軸Ｚ上に位置する。しかし、非撮影使用時には、ＮＤフィルタユニット７０の駆動機構（不図示）により、レンズからの入射光が透過しないように図２（ａ）のＡ方向（光軸Ｚに略垂直な平面方向）へ退避可能となっている。
【００１８】
ＮＤフィルタ１が使用位置と退避位置のどちらにあるのかという情報は、ＮＤフィルタユニット７０に設けられた図示しない検知手段により検知され、フレキシブル基板５を通じて電気的信号として本体制御部（図示せず）へと送られる。また、金属カバー３にもモールドカバー２と同様に、光軸Ｚ上に開口部（図示せず）が設けられ、この開口部を塞ぐようにローパスフィルタ６が配置されている（図２（ｂ））。
【００１９】
ローパスフィルタ６は、光学像の空間周波数の高域成分を除去する光学ローパスフィルタである。すなわち、ローパスフィルタ６は、特定の閾値よりも高い周波数信号を減衰させて遮断し、低域周波数のみを信号として通過させることができるフィルタであり、高周波域が雑音として入りやすい撮像装置等に一般的に用いられているものである。
【００２０】
板金部材７を、ローパスフィルタ６の上（撮像素子側）から金属カバー３に対してビス９ａ、９ｂを用いて組み付けることにより、ローパスフィルタ６が金属カバー３に対して固定される。
【００２１】
このような構成により、ＮＤフィルタ１は、モールドカバー２の開口部１１を除いた部分においては、モールドカバー２、金属カバー３、ローパスフィルタ６及び板金部材７により密閉された空間に配置されていることになる。ＮＤフィルタユニット７０の単体としては、ＮＤフィルタ１は開口部１１を介して被写体側に開放されている。
【００２２】
次に、モールドカバー２の開口部１１を塞ぐためのカバーガラスユニット３０について説明する。
【００２３】
図３（ａ）、（ｂ）は、カバーガラスユニット３０をそれぞれ被写体側、撮像素子ユニット９０側から見た分解斜視図である。図４は、撮像素子ユニット９０側から見たカバーガラスユニット３０の斜視図である。
【００２４】
カバーガラスユニット３０は、透明部材であるカバーガラス３１、カバーガラス３１を保持する保持部材３２、導電部である押さえ板金３３、及び、両面テープ３４ａ、３４ｂを有する。保持部材３２には、溶着部３５ａ、３５ｂ、両面テープ貼りつけ面３７ａ、３７ｂ、ガイドリブ３８ａ〜３８ｆ、３つのビス座３９ａ、３９ｂ、３９ｃ、光軸Ｚが通る開口部４０、及びつまみ部４１が設けられている。つまみ部４１は、保持部材３２の上部から被写体側に向かって延設されており、指またはピンセット等で把持することでカバーガラスユニット３０の全体を持つことができるようになっている。
【００２５】
カバーガラス３１は、開口部４０を全て覆うことができるよう、開口部４０よりも大きくなっている。また、押さえ板金３３にはスリット穴４３ａ、４３ｂが形成されている。
【００２６】
カバーガラスユニット３０の組み立て順序としては、まず保持部材３２の両面テープ貼りつけ面３７ａ、３７ｂ（図３（ｂ））に両面テープ３４ａ、３４ｂを貼りつける。次に、その上からカバーガラス３１を貼り付けて、保持部材３２に対してカバーガラス３１を保持固定する。その際、保持部材３２に設けられたガイドリブ３８ａ〜３８ｆ（図３（ｂ））が、カバーガラス３１の外形に沿ってガイドの役割を果たすので、カバーガラス３１は保持部材３２に対して正確に位置決めされた状態で保持することができる。
【００２７】
次に、押さえ板金３３を保持部材３２に対して組み付ける。その際、押さえ板金３３に設けられたスリット穴４３ａには、それぞれ保持部材３２の溶着部３５ａ、３５ｂが嵌り込む（図４）。そして溶着部３５ａ、３５ｂをスリット穴４３ａに対して溶着する。また、図示しないが、保持部材３２には溶着部３５ａ、３５ｂの対角位置にも同様の溶着部があり、スリット穴４３ｂに対し同様の溶着を行う。これにより、押さえ板金３３は保持部材３２に対して両側で固定される。
【００２８】
押さえ板金３３が組み付けられると、カバーガラス３１は、押さえ板金３３に接触する。あるいは、保持部材３２の少なくとも一部が導電部で構成され、この導電部を介してカバーガラス３１と押さえ板金３３とが電気的に導通するようにしてもよい。
【００２９】
次に、装置本体１００の全体構成について図１を用いて説明する。
【００３０】
まず、外装カバーユニット６０は、図１に示すように、金属外装部６１、モールド外装部６２、レンズマウント６３、レンズリリース釦６４、電気接点６５を有する。レンズマウント６３は、不図示の交換レンズを装置本体１００に対して取り付け固定するための部分であり、交換レンズの取り付けの基準面でもある。
【００３１】
レンズマウント６３に交換レンズが取り付いた状態でレンズリリース釦６４が押下されることによって、交換レンズをレンズマウント６３より取り外すことができる。金属外装部６１に設けられる電気接点６５は、レンズマウント６３に装着されている交換レンズの電気接点と接触し、当該交換レンズと装置本体１００とを電気的に接続して、電気的信号の通信を行えるようにするためのものである。
【００３２】
レンズマウント６３、レンズリリース釦６４、電気接点６５の構造については公知であり、これらの詳細な説明を省略する。
【００３３】
金属外装部６１には、カバーガラスユニット３０を組み付けるための開口部６７とビスボス６８が設けられる。ビスボス６８は、カバーガラスユニット３０を締結するための締結部であり、図１には１つしか現れていないが、カバーガラスユニット３０の３つのビス座３９ａ、３９ｂ、３９ｃに対応して３つ設けられる。具体的には、ビスボス６８は金属外装部６１の上部と左右の計３ヶ所に設けられ、且つ、被写体側から見て投影上、電気接点６５に重ならない位置に配置される。金属外装部６１にはさらに、電気接点６５を取り付けるための取り付け部６９が設けられている。
【００３４】
また、ＮＤフィルタユニット７０とカバーガラスユニット３０との間に弾性部材８１が配置される。弾性部材８１は、ＮＤフィルタユニット７０の開口部１１よりもひと回り大きい開口部８２を有しており、その材質は例えばスポンジである。
【００３５】
被写体からの入射光が、装着された交換レンズを介して、カバーガラスユニット３０の開口部４０、外装カバーユニット６０の開口部６７、弾性部材８１の開口部８２、及びＮＤフィルタユニット７０の開口部１１を通過してくる。この入射光を撮像素子ユニット９０が電気信号へと変換する。
【００３６】
カバーガラスユニット３０とＮＤフィルタユニット７０とは、光軸Ｚ方向において外装カバーユニット６０を挟むように位置している。カバーガラスユニット３０は外装カバーユニット６０に対してα方向（光軸Ｚに平行で被写体側から撮像素子側に向く方向）にビス座３９ａ〜３９ｃを介して組み付けられる。すなわち、ビス座３９ａ〜３９ｃが、それぞれ対応するビスボス６８に対してビス６６ａ〜６６ｃにて締結される。
【００３７】
その際、カバーガラスユニット３０の押さえ板金３３（図３）が、金属部分である金属外装部６１とビスボス６８を通じて外装カバーユニット６０と接触し、互いの導通が確保される。押さえ板金３３、金属外装部６１及びビスボス６８は導電性があるので、カバーガラス３１に帯電した静電気が押さえ板金３３を介して金属外装部６１へと流れ、カバーガラス３１への、静電気による埃等の吸着・付着が防止される。
【００３８】
また、ＮＤフィルタユニット７０は外装カバーユニット６０に対して取り付け部１２ａ〜１２ｄ（図２（ａ）参照）でのビス留めにより、β方向（α方向の反対方向）に組み付けられる。組み付け時には、カバーガラスユニット３０とＮＤフィルタユニット７０の開口部１１との間は弾性部材８１でチャージされる構成になっている。そのため、ＮＤフィルタユニット７０の開口部１１はカバーガラス３１と弾性部材８１とで密閉されることになる。
【００３９】
弾性部材８１に設けられた開口部８２は、上述のようにＮＤフィルタユニット７０の開口部１１に対して十分大きいので、レンズからの入射光の通過を弾性部材８１が阻害することは無い。
【００４０】
次に、かかる構成の撮像装置において、ＮＤフィルタ１に埃が付着した場合の除去方法について説明する。
【００４１】
図５（ａ）は、組み付け完了後で交換レンズが非装着状態の装置本体１００の外観斜視図である。図５（ｂ）は、図５（ａ）の組み付け完了状態からカバーガラスユニット３０を取り外した状態を示す外観斜視図である。
【００４２】
図５（ａ）に示すように、装置本体１００において、カバーガラスユニット３０と外装カバーユニット６０とが外観に露出しているが、ＮＤフィルタユニット７０等は装置本体１００の内部に格納され、外部からは見えないようになっている。
【００４３】
図５（ａ）の状態からカバーガラスユニット３０を取り外すには、まず３カ所のビス６６ａ〜６６ｃをドライバにて外し、つまみ部４１をピンセット等で摘まんで引っ張るようにする。これにより、カバーガラスユニット３０が装置本体１００から被写体側に取り外される。
【００４４】
このようにしてカバーガラスユニット３０を取り去ると、装置本体１００において、金属外装部６１の開口部６７及びＮＤフィルタユニット７０の開口部１１（図１参照）を介してＮＤフィルタ１が被写体側から見えるようになる。ＮＤフィルタ１が外観に露出するので、開口部１１からＮＤフィルタ１に対してエアー等を吹き付けることによって、ＮＤフィルタ１に付着した埃を吹き飛ばすことが可能になる。
【００４５】
以上のように、カバーガラス３１を保持する保持部材３２を有したカバーガラスユニット３０を、ＮＤフィルタユニット７０が外装カバーユニット６０に固定された状態のまま被写体側に着脱可能に構成した。これにより、装置本体１００を分解するという大掛かりな作業をすることなく、カバーガラスユニット３０を取り外すだけでＮＤフィルタ１を外観に露出させることができる。
【００４６】
従って本発明によれば、カバーガラスユニット３０を取り外し、露出した開口部１１を介してＮＤフィルタ１にエアーを吹き付ければ、ＮＤフィルタ１に付着した埃等を非常に簡単な作業で確実に除去することができる。よって、装置本体１００の内部のほぼ密閉された空間に配置された光学部品であるＮＤフィルタ１に付着した埃等の除去作業を容易にすることができる。
【００４７】
また、保持部材３２につまみ部４１を設けたので、カバーガラスユニット３０を外装カバーユニット６０に対して着脱する際に被写体側から把持することができ、着脱作業が行いやすい。
【００４８】
また、ビスボス６８は、被写体側から見て投影上、電気接点６５に重ならない位置に配置されるので、保持部材３２の着脱によって電気の導通機能が害されることが回避される。
【００４９】
また、カバーガラスユニット３０の押さえ板金３３が、カバーガラス３１に接触すると共に、外装カバーユニット６０の金属外装部６１及びビスボス６８に接触する。これにより、カバーガラス３１への静電気による埃等の吸着・付着が抑制される。なお、静電気に起因する埃等の吸着・付着対策の観点からは、カバーガラスユニット３０に設ける導電部が、カバーガラス３１と外装カバーユニット６０のうちの金属部分とに接触するようにすればよい。
【００５０】
なお、埃等を除去すべき対象である光学部品としてＮＤフィルタ１を例示したが、これに限られず、外装の内部空間に配置される光学部品を対象にできる。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５２】
１  ＮＤフィルタ
１１  開口部
３０  カバーガラスユニット
３１  カバーガラス
３２  保持部材
４１  つまみ部
６０  外装カバーユニット
６３  レンズマウント
７０  ＮＤフィルタユニット
【図１】
0005917085.tif 000002
【図２】
0005917085.tif 000003
【図３】
0005917085.tif 000004
【図４】
0005917085.tif 000005
【図５】
0005917085.tif 000006